(57)【特許請求の範囲】
【請求項１】
曲管状に形成され、各々が、対応する地下灌漑用の埋設配管に接続するための接続部を有する第１および第２配管部品、および
前記第１および第２配管部品を包含し、各配管部品の接続部をそれぞれ前記対応する埋設配管の位置および向きに基づいて設定した所定位置および向きで前記埋設配管に接続可能に外部に露出させる包含部材を備える、配管ユニット。
【請求項２】
前記包含部材は、発泡材によって形成され、
前記複数の配管部品を前記包含部材から抜け落ちないように支持する支持手段をさらに備える、請求項１記載の配管ユニット。
【請求項３】
地下灌漑用の埋設配管に接続するための接続部を有する少なくとも１つの配管部品、
前記配管部品を包含し、かつ前記接続部を前記埋設配管に接続可能に露出させる包含部材、および
前記包含部材の上面および側面の少なくとも一方に形成される肉盗み部を備える、配管ユニット。
【請求項４】
地下灌漑用の埋設配管に接続するための接続部を有する少なくとも１つの配管部品、
前記配管部品を包含し、かつ前記接続部を前記埋設配管に接続可能に露出させる包含部材、および
前記包含部材の前記側面に形成される突起部を備える、配管ユニット。
【請求項５】
請求項１ないし４のいずれかに記載の配管ユニットを地中に埋設して、その配管ユニットの上方に地下灌漑用の枡を配置した地下灌漑用枡システムであって、
前記配管部品は、その一方端部が前記枡の内部空間で開口し、その他方端部が前記埋設配管に接続される、地下灌漑用枡システム。
【発明の詳細な説明】
【技術分野】
【０００１】
この発明は、配管ユニットおよびそれを用いた地下灌漑用枡システムに関し、特にたとえば、埋設配管と地下灌漑用の枡とを接続する配管ユニットおよびそれを用いた地下灌漑用枡システムに関する。
【背景技術】
【０００２】
従来、農業用水路から取水した用水を圃場に給水するための地下灌漑用給水枡システムが公知である。たとえば、特許文献１に記載されている地下灌漑用給水枡システムは、１つの給水枡の中に取水口、圃場給水口、地下灌漑用給水口、および掃流口が設けられており、農業用水路から供給される用水を圃場の地表面に供給する機能と、当該用水を圃場の地中に埋設されている地下灌漑用の有孔管に供給する機能と、当該有孔管を掃流する機能とを併せ持っている。
【特許文献１】特開２００５−２１１２５号公報［Ａ０１Ｇ  ２５／００］
【発明の開示】
【発明が解決しようとする課題】
【０００３】
上述のような地下灌漑用給水枡システムでは、給水枡の荷重による圧密沈下などを防止するために、埋設配管の周りに土を充填して、転圧しながら埋め戻す必要がある。しかしながら、埋設配管の立ち上がり部分における管と管との間の狭小な空間に土を充填する充填作業、およびその充填した土を転圧する転圧作業は困難であり、その施工に手間と時間がかかってしまうという問題があった。
【０００４】
それゆえに、この発明の主たる目的は、新規な、配管ユニットおよびそれを用いた地下灌漑用枡システムを提供することである。
【０００５】
この発明の他の目的は、施工性に優れる配管ユニットおよびそれを用いた地下灌漑用枡システムを提供することである。
【課題を解決するための手段】
【０００６】
本発明は、上記の課題を解決するために、以下の構成を採用した。なお、括弧内の参照符号および補足説明などは、本発明の理解を助けるために後述する実施の形態との対応関係を示したものであって、本発明を何ら限定するものではない。
【０００７】
第１の発明は、曲管状に形成され、各々が、対応する地下灌漑用の埋設配管に接続するための接続部を有する第１および第２配管部品、および第１および第２配管部品を包含し、各配管部品の接続部をそれぞれ前記対応する埋設配管の位置および向きに基づいて設定した所定位置および向きで埋設配管に接続可能に外部に露出させる包含部材を備える、配管ユニットである。
【０００８】
第１の発明では、配管ユニット（５０）は、配管部品（５２）と当該配管部品を包含する包含部材（６０）とを備える。たとえば、配管部品は、曲管状に形成され、その一方端部（５２ａ）が垂直上方向に向けて開口している。また、たとえば、配管部品の他方端部（５２ｂ）は、包含部材の側面から外部に露出して、水平方向に向けて開口しており、地下灌漑用の埋設配管（１２）に接続するための接続部（６４）として機能する。このような配管ユニットによれば、配管部品の一方端部を地下灌漑用の枡（１４）の内部空間（２８）で開口させ、その他方端部を埋設配管に接続するだけで、埋設配管と枡とを容易に接続することができる。さらに、配管部品が包含部材によって包含されるため、埋設配管における管と管との間に土を充填する充填作業、およびその充填した土を転圧する転圧作業を行わなくてよい。
【０００９】
第１の発明によれば、施工性に優れる。
【００１０】
第２の発明は、第１の発明に従属し、包含部材は、発泡材によって形成され、複数の配管部品を包含部材から抜け落ちないように支持する支持手段をさらに備える。
【００１１】
第２の発明では、配管ユニット（５０）の包含部材（６０）は、発泡材によって形成される。実施例では、包含部材は、発泡倍率が１５〜４５倍に設定された発泡スチロールによって形成され、略立方体形状を有している。
【００１２】
第２の発明によれば、包含部材の剛性を保ったまま、当該包含部材を軽量化することができる。
【００１３】
第３の発明は、第１または２の発明に従属し、地下灌漑用の埋設配管に接続するための接続部を有する少なくとも１つの配管部品、配管部品を包含し、かつ接続部を埋設配管に接続可能に露出させる包含部材、および包含部材の上面および側面の少なくとも一方に形成される肉盗み部を備える、配管ユニットである。
【００１４】
第３の発明では、包含部材（６０）のたとえば上面には、凹状の肉盗み部（６８）が形成される。このため、たとえば配管ユニット（５０）を地中に埋設する際に、肉盗み部（６８）に土を充填して、包含部材に加重することができる。したがって、地下水や土壌水によるによる浮力が包含部材に作用しても、肉盗み部に充填する土の荷重によって配管ユニットの浮き上がりを防止することができる。
【００１５】
第４の発明は、第１ないし３のいずれかの発明に従属し、地下灌漑用の埋設配管に接続するための接続部を有する少なくとも１つの配管部品、配管部品を包含し、かつ接続部を埋設配管に接続可能に露出させる包含部材、および包含部材の側面に形成される突起部を備える、配管ユニットである。
【００１６】
第４の発明では、包含部材（６０）の側面には、当該包含部材の外側に突出する突起部（７２）が形成される。このため、配管ユニット（５０）を地中に埋設する際に、突起部の上に土を積載し、その土を転圧して固めることができる。したがって、地下水や土壌水によるによる浮力が包含部材に作用しても、転圧して固めた土の荷重と抵抗力とによって配管ユニットの浮き上がりを防止することができる。
【００１７】
第５の発明は、第１ないし４のいずれかの発明の配管ユニットを地中に埋設して、その配管ユニットの上方に地下灌漑用の枡を配置した地下灌漑用枡システムであって、配管部品は、その一方端部が枡の内部空間で開口し、その他方端部が埋設配管に接続される、地下灌漑用枡システム。
【００１８】
第５の発明では、地下灌漑用枡システム（１０）は、地中に埋設された配管ユニット（５０）と、当該配管ユニットの上方に配置される地下灌漑用の枡（１４）とを備えており、農業用水路（１００）から取水した用水を圃場（１０２）に供給する。枡は、たとえば角筒状に形成される側壁部（２２）と当該側壁部の下端を封止する底部（２４）とを含む。底部には、厚み方向に貫通する開口部（３０）が設けられる。配管部品（５２）の一方端部（５２ａ）は、開口部に挿通されて、枡の内部空間（２８）で垂直上方向に向けて開口する。また、配管部品の他方端部（５２ｂ）は、たとえば水平方向に向けて開口しており、地下灌漑用の埋設配管（１２）に接続される。
【００１９】
第５の発明によれば、第１の発明と同様の作用効果を奏する。
【発明の効果】
【００２０】
この発明によれば、地下灌漑用の埋設配管と地下灌漑用の枡とが配管ユニットによって接続されるため、施工性に優れる。
【００２１】
この発明の上述の目的，その他の目的，特徴および利点は、図面を参照して行う以下の実施例の詳細な説明から一層明らかとなろう。
【発明を実施するための最良の形態】
【００２２】
図１にこの発明の背景となる地下灌漑用枡システム１０の一例が図解される。この地下灌漑用枡システム１０は、地中に埋設された地下灌漑用の埋設配管１２を含み、当該埋設配管１２を地下灌漑用の枡１４に接続することによって、農業用水路１００から取水した用水を圃場１０２に供給する地下灌漑用給水施設として構成したものである。
【００２３】
ただし、この明細書においては、これらを区別する記述がなされている以外の部分では、農業用水路１００から用水を引き込むための取水管１６、当該用水を圃場１０２に供給するための地下給水管１８、および当該地下給水管１８を洗浄するための掃流管２０を総称するために参照符号１２を用いて埋設配管１２と表記する場合があることに留意されたい。
【００２４】
図２に示すように、枡１４は、コンクリートなどのセメント硬化物からなり、角筒状に形成される側壁部２２と当該側壁部２２の下端を封止する底部２４とを含む。
【００２５】
側壁部２２の圃場１０２側には、上下方向に延びるスリット２６が形成される。スリット２６には、取り外し可能な堰板（図示せず）が設けられており、水田の代掻き時などには、当該堰板を取り外すことによって、枡１４の内部空間２８に貯留されている用水を直接圃場１０２に供給することができる。
【００２６】
底部２４は、矩形の板形状を有しており、側壁部２２と一体的に形成される。底部２４には、厚み方向に貫通する開口部３０が設けられており、当該開口部３０に挿通された埋設配管１２が枡１４の内部空間２８で開口している。
【００２７】
ただし、この明細書においては、これらを区別する記述がなされている以外の部分では、取水管１６が挿通される取水口３２、地下給水管１８が挿通される給水口３４、および掃流管２０が挿通される掃流口３６を総称するために参照符号３０を用いて開口部３０と表記する場合があることに留意されたい。
【００２８】
また、取水口３２に挿通されて枡１４の内部空間２８で開口する取水管１６には、たとえば給水バルブなどが設けられるが、図面の簡素化のために給水バルブの図示は省略していることに留意されたい。以下、同様である。
【００２９】
底部２４には、圃場１０２とは反対側に突出する突出部３８が形成される。たとえば、枡１４の設置時に突出部３８の上に土が積載されることによって、枡１４の圃場１０２側への転倒が防止される。
【００３０】
枡１４の下には、枠体４０が設けられる。枠体４０は、枡１４を積載するための部位であり、木材などによって形成され、その上端が地表面に臨むように地中に埋設される（図１参照）。枠体４０は、上下方向に延びる縦板材４２を含む。縦板材４２は、たとえば枡１４の底部２４の四隅に対応した位置に配置されており、隣接する縦板材４２同士が水平方向に延びる横板材４４によって繋がれている。また、縦板材４２の下端には、矩形の板状に形成される底板材４６が設けられる。
【００３１】
以上で、この発明の背景技術としての地下灌漑用枡システム１０を説明した。以下に、このような背景技術を前提にして、必要に応じてそれらを参照しながら、この発明の実施例または実施形態について説明する。
【００３２】
図３に示すこの発明の一実施例の地下灌漑用枡システム１０は、埋設配管１２と枡１４とが配管ユニット５０の配管部品５２によって接続されるという点で、図１の地下灌漑用枡システム１０と異なる。
【００３３】
図４および図５に示すように、配管部品５２は、塩化ビニルなどの合成樹脂からなり、たとえば汎用の９０°エルボ等の両受継手の上方開口に直管を接続したものが用いられる。すなわち、配管部品５２は、略Ｌ字形状を有する曲管状に形成され、その一方端部５２ａが垂直または略垂直上方向に向けて開口し、その他方端部５２ｂが水平または略水平方向に向けて開口している。
【００３４】
ただし、この明細書においては、これらを区別する記述がなされている以外の部分では、枡１４と取水管１６とを接続する第１配管部品５４、当該枡１４と地下給水管１８とを接続する第２配管部品５６、および当該枡１４と掃流管２０とを接続する第３配管部品５８を総称するために参照符号５２を用いて配管部品５２と表記する場合があることに留意されたい。
【００３５】
配管部品５２は、その両端部５２ａ，５２ｂが外部に露出するように包含部材６０によって包含されている。
【００３６】
包含部材６０は、たとえば発泡スチロールのような発泡材によって形成される。たとえば、包含部材６０の発泡倍率は、比較的軽量でかつ一定以上の剛性を有するように、１５〜４５倍に設定される。包含部材６０は、上面視で枡１４の底部２４と略同形状を有する立方体状に形成され、たとえばその一辺は６００ｍｍ程度に設定される。
【００３７】
包含部材６０には、上述した配管部品５２の外形と略同形状を有する空間である貫通部６２が形成され、当該貫通部６２に沿って配管部品５２が配置されている。ただし、貫通部６０は、配管部品５２が包含部材６０の下方から着脱可能となるように、その下方側が開放されている。
【００３８】
貫通部６２に配置されている配管部品５２の一方端部５２ａは、包含部材６０の上面から突出して外部に露出しており、それぞれ枡１４の開口部３０に挿通されて、枡１４の内部空間２８で開口する。
【００３９】
また、貫通部６２に配置されている配管部品５２の他方端部５２ｂは、包含部材６０の側面から突出して外部に露出しており、埋設配管１２に接続するための接続部６４として機能する。
【００４０】
具体的には、図６に示すように、第１配管部品５４の一方端部５４ａは、取水口３２に挿通されて、枡１４の内部空間２８で開口する。また、第１配管部品５４の他方端部５４ｂ（接続部６４）は、包含部材６０の第１側面から突出して外部に露出し、取水管１６に接続される。
【００４１】
第２配管部品５６の一方端部５６ａは、給水口３４に挿通されて、枡１４の内部空間２８で開口する。また、第２配管部品５６の他方端部５６ｂ（接続部６４）は、包含部材６０の前方側面から突出して外部に露出し、地下給水管１８に接続される。
【００４２】
第３配管部品５８の一方端部５８ａは、掃流口３６に挿通されて、枡１４の内部空間２８で開口する。第３配管部品５８の他方端部５８ｂ（接続部６４）は、包含部材６０の第２側面から突出して外部に露出し、掃流管２０に接続される。
【００４３】
ただし、この実施例では、説明の都合上、包含部材６０における、当該包含部材６０から圃場１０２に向かう方向の側面を「前方側面」とし、水平面において当該包含部材６０から圃場１０２に向かう方向に直行する方向の一方の側面を「第１側面」とし、他方の側面を「第２側面」として、区別していることに留意されたい。
【００４４】
また、図４に戻って、包含部材６０の下部には、当該包含部材６０の下面に沿う支持板６６が設けられる。支持板６６は、包含部材６０の上面視形状（下面視形状）と略同形状を有するベニヤ等の合板であり、配管部品５２が包含部材６０から抜け落ちないように、図示しない固定具によって包含部材６０に固定されている。
【００４５】
このような配管ユニット５０を用いて、地下灌漑用枡システム１０を形成する方法を以下に説明する。
【００４６】
先ず、掘削した地面上に配管ユニット５０を配置する。
【００４７】
そして、配管ユニット５０と埋設配管１２とを接続する。具体的には、第１配管部品５４の接続部６４を取水管１６に接続し、第２配管部品５６の接続部６４を地下給水管１８に接続し、第３配管部品５８の接続部６４を掃流管２０に接続する。
【００４８】
次に、配管ユニット５０の上面が地表面に臨むように、掘削した地面を埋め戻して配管ユニット５０を埋設し、当該埋め戻した土を転圧する。なお、この際には、配管ユニット５０における配管部品５２の一方端部５２ａをキャップなどによって塞いでおくと好適である。
【００４９】
それから、配管ユニット５０と枡１４とを接続する。具体的には、第１配管部品５４の一方端部５４ａの位置と取水口３２の位置とを、第２配管部品５６の一方端部５６ａの位置と給水口３４の位置とを、さらに第３配管部品５８の一方端部５８ａの位置と掃流口３６の位置とを合わせて、それらの一方端部５４ａ，５６ａ，５８ａが枡１４の内部空間２８で開口するように、配管ユニット５０上に枡１４を配置する。
【００５０】
最後に、配管部品５２の外面と開口部３０との隙間にエラストマなどの止水材（図示せず）を充填して、作業を終了する。
【００５１】
このように、この実施例によれば、配管部品５２の一方端部５２ａを枡１４の内部空間２８で開口させ、その他方端部５２ｂ（接続部６４）を埋設配管１２に接続するだけで、埋設配管１２と枡１４とを容易に接続することができる。さらに、配管部品５２が包含部材６０によって包含されるため、埋設配管１２における管と管との間に土を充填する充填作業、およびその充填した土を転圧する転圧作業も行わなくてよい。したがって、施工性に優れる。
【００５２】
また、配管ユニット５０の包含部材６０は、発泡材によって形成される。このため、枡１４の荷重によって変形することがない程度に包含部材６０の剛性を保ったままで、当該包含部材６０を軽量化することができる。また、発泡材は加工性にも優れるため、配管部品５２の形状に対応させた貫通部６２を包含部材６０に容易に形成することができる。
【００５３】
なお、上述の実施例では、配管ユニット５０における配管部品５２は、枡１４と取水管１６とを接続する第１配管部品５４、枡１４と地下給水管１８とを接続する第２配管部品５６、および枡１４と掃流管２０とを接続する第３配管部品５８によって構成されたが、これに限定される必要はなく、埋設配管１２や枡１４に形成される開口部３０の数に対応して、任意の数の配管部品５２を配管ユニット５０に設けることができる。
【００５４】
また、上述の実施例では、配管部品５２と当該配管部品５２を包含する包含部材６０と支持板６６とを別体に形成したが、これに限定される必要はなく、これらを一体的に形成することもできる。
【００５５】
さらに、上述の実施例では、配管部品５２の両端部５２ａ，５２ｂは、包含部材６０の上面ないし側面から突出して外部に露出したが、これに限定される必要はない。配管部品５２の他方端部５２ｂ（接続部６４）は、埋設配管１２と接続可能に露出しているのであれば、包含部材６０の内部に配置してもよい。
【００５６】
また、図示は省略するが、包含部材６０の内部に配置した配管部品５２の端部に現地で長さ調整した調整管を継ぎ足して、その調整管の端部に埋設配管１２ないし枡１４を接続することもできる。
【００５７】
さらに、上述の実施例では、包含部材６０は、発泡倍率を１５〜４５倍に設定した発泡スチロールによって形成されたが、これに限定される必要はない。
【００５８】
たとえば、（株）ＪＳＰ製のチップドレン（商品名）やスチロダイアブロックＮＦ−２０（商品名）等の透水性を有する発泡スチロールを用いることもできる。この場合には、包含部材６０が地中に存在する地下水や土壌水を透水するため、当該包含部材６０の透水した部分には、地下水や土壌水による浮力が包含部材６０に作用しない。したがって、配管ユニット５０の浮き上がりを軽減することができる。
【００５９】
また、たとえば、発泡コンクリートによって包含部材６０を形成することもできる。比重が１以上の発泡コンクリートを使用した場合には、地下水や土壌水によるによる浮力が包含部材６０に作用しても、当該包含部材６０の自重によって配管ユニット５０の浮き上がりが防止される。
【００６０】
さらに、たとえば、粉状のガラス素材を発泡再固溶化させた人工軽石によって包含部材６０を形成することもできる。
【００６１】
さらにまた、上述の実施例では、包含部材６０は、上面視で枡１４の底部２４と略同形状を有する立方体状に形成されたが、これに限定される必要はなく、少なくとも枡１４の底部２４に設けられている開口部３０を包含部材６０の上面の範囲内に収容することができるのであれば、任意の形状の包含部材６０を形成することができる。
【００６２】
たとえば、図７および図８に示すように、包含部材６０の上面（図７）や側面（図８）に凹状の肉盗み部６８を形成することもできる。この場合には、配管ユニット５０を埋設する際に、その施工現場で肉盗み部６８に土を充填して、包含部材６０に加重することができる。このため、地下水や土壌水によるによる浮力が包含部材６０に作用しても、肉盗み部６８に充填する土の荷重によって配管ユニット５０の浮き上がりを防止することができる。なお、肉盗み部６８の数や形状は適宜変更されてもよい。
【００６３】
また、たとえば、図９に示すように、包含部材６０を上面視で枡１４の底部２４より小さい形状を有する直方体状に形成することもできる。この場合には、包含部材６０の体積が小さくなるため、容易に現場へ搬送することができ、さらに材料費を削減することもできる。
【００６４】
さらに、たとえば、図１０に示すように、包含部材６０を上面視で枡１４の底部２４より大きい形状を有する直方体状に形成することもできる。この場合には、包含部材６０と配管ユニット５０を配置している地面との接触面積が大きいため、枡１４の荷重による圧密沈下を防止することができる。さらに、この場合には、貫通部６２を除いた包含部材６０の空きスペースにゆとりがあるため、図１１に示すように、保持部分６０に当該包含部材６０を上下方向に貫通する、かつ配管ユニット５０の浮き上がりを防止するためのアンカ７０を打ち込み、当該アンカ７０上に枡１４を配置することもできる。なお、枡１４の底部２４の四隅に対応する位置にアンカ７０を打ち込むと、枡１４の荷重が均等に包含部材６０にかかるため、好適である。
【００６５】
さらにまた、たとえば、図１２に示すように、包含部材６０の下部に、当該包含部材６０の外側に突出する突起部７２を形成することもできる。突起部７２は、包含部材６０と一体的に形成され、たとえば包含部材６０の側面の下半部（包含部材６０における上下方向の中央よりも下の部分）の全周に亘って段差状に突出する。この場合には、配管ユニット５０を地中に埋設する際に、突起部７２の上に土を積載し、その土を転圧して固めることができる。このため、地下水や土壌水によるによる浮力が包含部材６０に作用しても、転圧して固めた土の荷重と抵抗力とによって、配管ユニット５０の浮き上がりを防止することができる。なお、突起部７２の形状は適宜変更されてもよい。
【００６６】
また、図１３に示すように、突起部７２に当該突起部７２を上下方向に貫通するアンカ７０を打ち込むこともできる。
【００６７】
さらに、図１２では上面視で枡１４の底部２４と略同形状を有する包含部材６０を例示したが、図１４に示すように、上面視で枡１４の底部２４より小さい形状を有する包含部材６０に突起部７２を形成してもよい。
【００６８】
さらに、上述の実施例では、配管ユニット５０の上面が地表面に臨むように地面を埋め戻し、当該配管ユニット５０上に枡１４を配置したが、これに限定される必要はない。
【００６９】
たとえば、配管部品５２の一方端部５２ａが包含部材６０の上面から突出して地表面に露出しているのであれば、配管ユニット５０を完全に埋設して、地表面上に枡１４を配置してもよい。
【００７０】
また、たとえば、図示は省略するが、包含部材６０を上述したような枠体４０（図２参照）によって囲繞し、当該枠体４０上に枡１４を配置してもよい。
【００７１】
さらに、たとえば、図１５に示すように、包含部材６０に、当該包含部材６０の上面と側面とに亘るかつアンカ７０を打ち込むことのできる枠体７４を設け、当該枠体７４上に枡１４を配置してもよい。
【００７２】
さらにまた、上述の実施例では、第１配管部品５４の他方端部５４ｂ（接続部６４）を包含部材６０の第１側面から外部に露出させ、第２配管部品５６の他方端部５６ｂ（接続部６４）を包含部材６０の前方側面から外部に露出させ、さらに第３配管部品５８の他方端部５８ｂ（接続部６４）を包含部材６０の第２側面から外部に露出させたが、これに限定される必要はなく、配管部品５２の接続部６４は、包含部材６０における任意の側面ないし底面から外部に露出させることができる。
【００７３】
たとえば、図１６に示すように、第３配管部品５８の他方端部５８ｂを包含部材６０の前方側面から外部に露出させることもできる。
【００７４】
また、たとえば、図示は省略するが、配管部品５２の他方端部５８ｂを包含部材６０における底面から外部に露出させ、その接続部５８ｂを水平方向に曲げて、埋設配管１２と接続してもよい。
【００７５】
さらに、上述の実施例では、地下灌漑用の枡１４と埋設配管１２とを接続することによって、当該枡１４を地下灌漑用給水枡として用いたが、これに限定される必要はなく、枡１４を地下灌漑用排水枡として用いることもできる。
【００７６】
また、上述の実施例では、枡１４は、コンクリートによって下端が封止された角筒状に形成されたが、これに限定される必要はない。たとえば、枡１４の形状は適宜変更されてもよい。また、枡１４を合成樹脂によって形成することもできる。さらにまた、合成樹脂によって形成される複数の分割体を組み合わせることによって枡１４を形成してもよい。
【００７７】
なお、上述した径や高さ等の具体的数値は、いずれも単なる一例であり、必要に応じて適宜変更可能である。
【図面の簡単な説明】
【００７８】
【図１】この発明の背景となる地下灌漑用枡システムの一例を示す図解図である。
【図２】図１の地下灌漑用枡システムの構造を模式的に示す図解図である。
【図３】この発明の一実施例の地下灌漑用枡システムを示す図解図である。
【図４】図１の地下灌漑用枡システムの構造を模式的に示す図解図である。
【図５】図１の配管ユニットを示す斜視図である。
【図６】図１の配管ユニットに地下灌漑用の埋設配管を接続した様子を示す平面図である。
【図７】包含部材の変形実施例を示す斜視図である。
【図８】包含部材の変形実施例を示す斜視図である。
【図９】この発明の別の実施例の地下灌漑用枡システムを示す図解図である。
【図１０】この発明のさらに別の実施例の地下灌漑用枡システムを示す図解図である。
【図１１】この発明のさらに別の実施例の地下灌漑用枡システムを示す図解図である。
【図１２】この発明のさらに別の実施例の地下灌漑用枡システムを示す図解図である。
【図１３】この発明のさらに別の実施例の地下灌漑用枡システムを示す図解図である。
【図１４】この発明のさらに別の実施例の地下灌漑用枡システムを示す図解図である。
【図１５】この発明のさらに別の実施例の地下灌漑用枡システムを示す図解図である。
【図１６】この発明のさらに別の実施例の地下灌漑用枡システムを示す図解図である。
【符号の説明】
【００７９】
１０  …地下灌漑用枡システム
１２  …埋設配管
１４  …枡
５０  …配管ユニット
５２  …配管部品
６０  …包含部材
６４  …接続部
６８  …肉盗み部
７２  …突起部
１００  …農業用水路
１０２  …圃場
【図１】
0005234748.tif 000002
【図２】
0005234748.tif 000003
【図３】
0005234748.tif 000004
【図４】
0005234748.tif 000005
【図５】
0005234748.tif 000006
【図６】
0005234748.tif 000007
【図７】
0005234748.tif 000008
【図８】
0005234748.tif 000009
【図９】
0005234748.tif 000010
【図１０】
0005234748.tif 000011
【図１１】
0005234748.tif 000012
【図１２】
0005234748.tif 000013
【図１３】
0005234748.tif 000014
【図１４】
0005234748.tif 000015
【図１５】
0005234748.tif 000016
【図１６】
0005234748.tif 000017